(57)【要約】【課題】適切に排紙揃えを行いつつ用紙を仕分けする。【解決手段】用紙を押圧しながら搬送路上で用紙４１を搬送する２次給紙ロール４５と、搬送路に設けられ、用紙４１の端部を下方から持ち上げる持ち上げ位置と、搬送路の搬送面より下方である退避位置との間で変位可能に設けられた押上部材４８ｂを有する用紙端変位機構４８と、搬送路を搬送された用紙が仕分け用紙４１Ａである場合に、用紙端変位機構４８に押上部材を４８ｂ持ち上げ位置に変位させて仕分け用紙４１Ａの端部を持ち上げた状態で２次給紙ロール４５に仕分け用紙４１Ａを押圧させる制御部１０を有する。【選択図】図２
2020104403.tif 000002
【特許請求の範囲】
【請求項１】
用紙を押圧しながら搬送路上で前記用紙を搬送する搬送ローラと、
前記搬送路に設けられ、前記用紙の端部を変位可能とする用紙端変位機構と、
前記搬送路を搬送される用紙を前記用紙端変位機構により前記用紙の端部を変位させた状態で前記搬送ローラを押圧させる制御手段と、
を備えたことを特徴とする仕分け装置。
【請求項２】
前記用紙端変位機構は、前記用紙の端部を下方から持ち上げる持ち上げ位置と、前記搬送路の搬送面より下方である退避位置との間で移動可能に設けられた押圧部材を有し、
前記制御手段は、前記用紙を仕分け用紙として用いる場合に前記用紙が前記搬送路を搬送されて前記用紙端変位機構に達する前に前記用紙端変位機構に前記押圧厚部材を持ち上げ位置に変位させ、前記搬送ローラが前記用紙を押圧すると、前記用紙端変位機構に前記押上部材を退避位置に変位させる
ことを特徴とする請求項１記載の仕分け装置。
【請求項３】
前記用紙端変位機構は、前記用紙の搬送方向と直交する幅方向へスライド移動可能に設けられ、
前記制御手段は、前記搬送される用紙の幅方向のサイズに応じて、前記幅方向における前記用紙の端部の位置と一致するように前記用紙端変位機構をスライド移動させる
ことを特徴とする請求項１又は２記載の仕分け装置。
【発明の詳細な説明】
【技術分野】
【０００１】
本発明は、適切に排紙揃えを行いつつ用紙を仕分けする仕分け装置に関する。
【背景技術】
【０００２】
従来、印刷装置で印刷された用紙を束ねたい単位で仕分けする装置がよく知られている。
【０００３】
例えば、特許文献１には、給紙する用紙の仕分け単位間に、仕分け用紙として用紙を挿入し、仕分け用紙が第一の搬送部と第二の搬送部とに跨る状態において、第一の搬送部による搬送速度を第二の搬送部の搬送速度よりも大きくして、仕分け用紙にたるみを形成させるとともにたるみ部分を第二の搬送部に挟持させつつ仕分け用紙を押し曲げさせることにより所謂Ｚ折りさせて搬送する印刷装置が開示されている。
【先行技術文献】
【特許文献】
【０００４】
【特許文献１】特開２０１３−１２４１５４号公報
【発明の概要】
【発明が解決しようとする課題】
【０００５】
印刷装置では、排紙部が排紙する用紙の搬送方向の断面がＷ形状もしくはＵ字形状に変形させることにより腰付けを行っている。これにより用紙の排紙台への排紙姿勢を安定させることができるので適切に排紙揃えを行うことができる。
【０００６】
しかしながら、特許文献１に開示された技術では、挿入する仕分け用紙をＺ折りさせて搬送させているので、Ｚ折りされた用紙は排紙部によるＷ形状もしくはＵ字形状への腰付けができないので排紙台への排紙姿勢が安定せず排紙揃えが悪くなる。
【０００７】
また、排紙台のサイドフェンスは排紙揃えをよくするために用紙幅より狭くなっているが、Ｚ折りされた仕分け用紙は腰付けされていないため、排紙フェンスに引っ掛かり排紙揃えが悪くなる。最悪の場合、排紙フェンスに引っ掛かり排紙ジャムを発生させる可能性もある。
【０００８】
本発明は前記事情に鑑みなされたものであり、本発明の目的は、適切に排紙揃えを行いつつ用紙を仕分けする仕分け装置を提供することにある。
【課題を解決するための手段】
【０００９】
上記目的を達成するため、本発明に係る仕分け装置の特徴は、
用紙を押圧しながら搬送路上で前記用紙を搬送する搬送ローラと、
前記搬送路に設けられ、前記用紙の端部を下方から持ち上げる持ち上げ位置と、前記搬送路の搬送面より下方である退避位置との間で変位可能に設けられた押上部材を有する用紙端変位機構と、
前記搬送路を搬送された用紙が仕分け用紙である場合に、前記用紙端変位機構に前記押上部材を持ち上げ位置に変位させて仕分け用紙の端部を持ち上げた状態で前記搬送ローラに仕分け用紙を押圧させる制御手段と、
を備えたことにある。
【発明の効果】
【００１０】
本発明に係る仕分け装置の特徴によれば、適切に排紙揃えを行いつつ用紙を仕分けすることができる。
【図面の簡単な説明】
【００１１】
【図１】本発明の実施形態である仕分け装置が適用された孔版印刷装置のハードウェア構成を示す機器構成図である。
【図２】（ａ）は、本発明の実施形態である孔版印刷装置が備える２次給紙ロールと用紙端変位機構周辺を示した斜視図であり、（ｂ）は用紙端変位板を持ち上げた状態を示した斜視図である。
【図３】本発明の実施形態である孔版印刷装置が備える用紙端変位機構の構造を示した斜視図である。
【図４】本発明の実施形態である孔版印刷装置が備える２次給紙ロールと用紙端変位機構周辺の平面図である。
【図５】変形例１である孔版印刷装置が備える用紙端変位機構の構造を示した斜視図である。
【図６】２次給紙ロールと、変形例２の用紙端変位機構周辺の平面図である。
【図７】変形例２である孔版印刷装置が備える用紙持ち上げ機構を示した図である。
【図８】変形例３である孔版印刷装置が備える２次給紙ロールと、用紙端変位機構周辺の平面図である。
【発明を実施するための形態】
【００１２】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１３】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１４】
図１は、本発明の実施形態である仕分け装置が適用された孔版印刷装置のハードウェア構成を示す機器構成図である。
【００１５】
図１に示すように、孔版印刷装置１は、製版部２と、印刷部３と、給紙部４と、排紙部５と、排版部６と、制御部１０とを備えている。
【００１６】
製版部２は、ロールされた長尺状のマスタ２１を収容する収容部２２と、この収容部２２の搬送下流に配置されたサーマルヘッド２３と、このサーマルヘッド２３の対向位置に配置されたプラテンロール２４と、このプラテンロール２４及びサーマルヘッド２３の搬送下流に配置された一対のマスタ送りロール２５と、プラテンロール２４及びマスタ送りロール２５を回転駆動させるライトパルスモータ２６と、一対のマスタ送りロール２５の搬送下流に配置されたマスタカッタ２７とを有する。
【００１７】
そして、製版部２は、プラテンロール２４とマスタ送りロール２５の回転により長尺状のマスタ２１を搬送し、図示しない画像読み取り部により読み取られた画像データに基づき、サーマルヘッド２３の各点状発熱体が選択的に発熱動作することによりマスタ２１に感熱穿孔して製版し、この製版されたマスタ２１をマスタカッタ２７で切断して所定長さのマスタ２１を作製する。
【００１８】
印刷部３は、メインモータ３１の駆動力によって図１の矢印Ａ方向に回転するドラム３２と、このドラム３２の外周面に設けられ、マスタ２１の先端をクランプするマスタクランプ部３３とを備えている。ドラム３２の外周面には、ドラム３２内部からインクを押し出すために多孔構造によるインク透過性の部材で構成されたインク開孔部が設けられている。
【００１９】
また、印刷部３は、ドラム３２の外周面にマスタ２１が着版されているか否かを検出するマスタ確認センサ３４と、ドラム３２の基準位置を検出する基準位置検出センサ３５と、メインモータ３１の回転に応じて所定の周期でパルス信号を出力するロータリエンコーダ３６とを有する。基準位置検出センサ３５の検出出力（基準位置パルス信号）を基にロータリエンコーダ３６の出力パルス信号を検出することによってドラム３２の回転角度を算出することができるようになっている。
【００２０】
さらに、印刷部３は、ドラム３２の下方位置に配置されたプレスロール３７を有し、このプレスロール３７はソレノイド部３８の駆動力によってドラム３２の外周面に押圧する押圧位置と、ドラム３２の外周面から離間する待機位置との間で変位可能に構成されている。プレスロール３７は、給紙部４からの給紙動作に同期して待機位置から押圧位置に変位され、用紙４１がドラム３２の下部を通過する際のみ押圧位置に位置され、それ以外の時には待機位置に位置されるようになっている。
【００２１】
製版部２から搬送されるマスタ２１の先端をマスタクランプ部３３でクランプし、このクランプした状態でドラム３２が回転されてマスタ２１がドラム３２の外周面に着版される。そして、ドラム３２の回転に同期して給紙部４より給紙される用紙４１をプレスロール３７でドラム３２に巻装されたマスタ２１に押圧することによって、ドラム内のインクが、マスタ２１の穿孔から用紙４１に転写されて画像が印刷されるようになっている。
【００２２】
給紙部４は、用紙４１が積層される給紙台４２と、この給紙台４２から最上位置の用紙４１のみを搬送させる１次給紙ロール４３，４４と、１次給紙ロール４３，４４によって搬送された用紙４１をドラム３２の回転に同期してドラム３２とプレスロール３７間に搬送する一対の２次給紙ロール４５とを備えている。なお、給紙台４２は、脱着可能に構成されており、印刷したい用紙サイズの用紙４１が積層された給紙台４２が装着されることにより、所望の用紙サイズの用紙４１に印刷させることができる。
【００２３】
一対の２次給紙ロール４５は、１次給紙ロール４３，４４により搬送路上を搬送される用紙４１を上下方向から押圧しながら回転することで、ドラム３２とプレスロール３７間に用紙４１を搬送する。このとき、搬送される用紙４１が、仕切り用紙４１Ａの場合、後述するように、用紙端変位機構４８により、仕切り用紙４１Ａの端部が持ち上げられた状態で、一対の２次給紙ロール４５で押圧することにより、仕切り用紙４１Ａの端部が折り曲げられる。用紙４１が仕切り用紙４１Ａか否かは、ジョブに基づいて定められる。ユーザにより、印刷された用紙束を区切りたい位置が設定されると、設定された区切りたい位置に印刷しない用紙４１を仕切り用紙４１Ａとして搬送されるようにジョブに設定される。
【００２４】
用紙４１の搬送路上の１次給紙ロール４４と、２次給紙ロール４５との間には、搬送される用紙４１を検出する用紙センサ４６が設けられており、また、２次給紙ロール４５とプレスロール３７間との間には、搬送される用紙４１を検出する用紙センサ４９が設けられている。
【００２５】
１次給紙ロール４３，４４には給紙クラッチ４７を介してメインモータ３１の回転が選択的に伝達されるように構成されている。
【００２６】
排紙部５は、印刷された用紙４１をドラム３２から分離する用紙分離爪５１と、この用紙分離爪５１によりドラム３２から離間された用紙４１を搬送する排紙ロール５２と、排紙ロール５２により排紙される用紙４１が載置される排紙台５４とを有する。排紙部５は、排紙ロール５２から排紙台５４へと排紙する際、用紙４１のＸ１−Ｘ２方向の断面形状が、Ｗ形状もしくはＵ字形状となるように腰付けを行う。
【００２７】
排版部６は、ドラム３２の外周面よりクランプ解除されたマスタ２１の先端を導き、この導いた使用済みのマスタ２１をドラム３２より引き剥がしながら搬送する排版搬送手段６１と、この排版搬送手段６１により搬送されて来るマスタ２１を収納する排版ボックス６２と、排版搬送手段６１により排版ボックス６２内に搬送されて来たマスタ２１を排版ボックス６２の奥に押し込む排版圧縮部材６３とを有する。
【００２８】
制御部１０は、ジョブに基づいて孔版印刷装置１全体を制御する。詳細は後述する。また、制御部１０は、搬送路を搬送された用紙４１を仕分け用紙４１Ａとして用いる場合に、用紙端変位機構４８に押上部材を４８ｂ持ち上げ位置に変位させて仕分け用紙４１Ａの端部を持ち上げた状態で２次給紙ロール４５に仕分け用紙４１Ａを押圧させる。仕分け用紙４１Ａは色紙などの特別な用紙である必要はなく、白紙である用紙４１を仕分け用紙４１Ａとして用いることができる。
【００２９】
図２は、２次給紙ロール４５と用紙端変位機構４８周辺を示した斜視図であり、図３は、用紙端変位機構４８の構造を示した斜視図であり、図４は、２次給紙ロール４５と用紙端変位機構４８周辺の平面図である。
【００３０】
図２（ａ）に示すように、２次給紙ロール４５の搬送路の上流側（Ｙ２側）には、用紙端変位板４８ａが設けられている。用紙端変位板４８ａは、三角形状を有しており、一辺４８ａ1を軸として搬送ガイド板５０に対して可動自在に取り付けられている。
【００３１】
用紙４１が仕切り用紙４１Ａではない場合、用紙端変位板４８ａは、搬送ガイド板５０に対してフラット、すなわち上下方向（Ｚ１−Ｚ２方向）において搬送ガイド板５０と同一高さになるように保持されている。
【００３２】
一方、用紙４１が仕切り用紙４１Ａである場合、図２（ｂ）に示すように、用紙端変位板４８ａは、一辺４８ａ1を軸に上方（Ｚ１方向）に持ち上げられている。これにより、搬送されてきた仕切り用紙４１Ａは、用紙端変位板４８ａの上を通過する際、搬送ガイド板５０より端部が上方（Ｚ１方向）に持ち上げられた状態で搬送される。持ち上げられた状態で搬送され、２次給紙ロール４５に上下方向（Ｚ１−Ｚ２方向）から押圧されると、仕切り用紙４１Ａの端部が折り曲げられる。
【００３３】
これにより、仕切り用紙４１Ａの端部が折り曲げられて搬送されるので、排紙台５４に排紙された用紙４１の区切り位置に端部が折り曲げられた仕切り用紙４１Ａを差し込むことができる。
【００３４】
このように、用紙端変位板４８ａを持ち上げたり、または下げたりするために、用紙端変位板４８ａの下方には、図３に示すように用紙持ち上げ機構４８ｐが設けられている。用紙端変位機構４８は、用紙端変位板４８ａと、用紙端変位板４８ａを上方（Ｚ１方向）へ持ち上げる用紙持ち上げ機構４８ｐとで構成されている。
【００３５】
用紙持ち上げ機構４８ｐは、用紙の幅方向（Ｘ１−Ｘ２方向）に２本のガイド棒４８ｅが設けられており、この２本のガイド棒４８ｅに沿ってＸ１−Ｘ２方向にスライド移動可能に支持体４８ｆが設けられている。
【００３６】
支持体４８ｆには、ソレノイド４８ｇが固定されている。ソレノイド４８ｇは、図示しない電源により通電された場合、可動芯４８ｄが下方（Ｚ２方向）へ変位する。可動芯４８ｄの先端部には、Ｌ字形状をした押上部材４８ｂの一方の端部が可動自在に挟み込まれている。
【００３７】
可動芯４８ｄが下方（Ｚ２方向）へ変位すると、押上部材４８ｂが固定ピン４８ｈを回転軸として回転する。これにより、Ｌ字形状をした押上部材４８ｂの他方の端部がその上方（Ｚ１方向）にある用紙端変位板４８ａを押し上げる。このときの押上部材４８ｂの位置を持ち上げ位置という。
【００３８】
また、押上部材４８ｂを上下方向に不勢するバネ４８ｃが設けられている。バネ４８ｃは、上端部が押上部材４８ｂに取り付けられており、下端部が支持体４８ｆに取り付けられている。
【００３９】
ソレノイド４８ｇが通電されていない場合には、バネ４８ｃの不勢力により、押上部材４８ｂの他方の端部（先端部）が下方（Ｚ２方向）に引っ張られる。このときの押上部材４８ｂの位置を退避位置という。これにより、押上部材４８ｂの上方（Ｚ１方向）にある用紙端変位板４８ａも下方（Ｚ２方向）に下げられので、用紙端変位板４８ａは、上下方向（Ｚ１−Ｚ２方向）において搬送ガイド板５０に対してフラットな位置で保持される。
【００４０】
すなわち、制御部１０は、用紙センサ４６による検出に基づいて、仕分け用紙４１Ａが搬送路上を搬送されて用紙端変位機構に達する前に用紙端変位機構４８に押上部材４８ｂを持ち上げ位置に変位させる。また、制御部１０は、用紙センサ４９による検出に基づいて２次給紙ロール４５が仕分け用紙４１Ａを押圧したタイミングで、用紙端変位機構４８に押上部材４８ｂを退避位置に変位させる。
【００４１】
また、図４に示すように、２次給紙ロール４５は、幅方向（Ｘ１−Ｘ２方向）に複数有している。ここでは、Ｘ１方向の端部側からＸ２方向に向かって、２次給紙ロール４５Ａ、４５Ｂ、４５Ｃと表記している。２次給紙ロール４５Ａ、４５Ｂ、４５Ｃは、それぞれ用紙サイズに応じて設けられている。具体的には、２次給紙ロール４５Ａは、Ａ３サイズの用紙の端部の位置に設けられており、２次給紙ロール４５Ｂは、Ｂ４サイズの用紙の端部の位置に設けられており、２次給紙ロール４５Ｃは、Ａ４サイズの用紙の端部の位置に設けられている。
【００４２】
用紙端変位板４８ａは、Ｘ１−Ｘ２方向における２次給紙ロール４５Ａ、４５Ｂ、４５Ｃに対応する位置に設けられている。
【００４３】
そして、用紙持ち上げ機構４８ｐが、２本のガイド棒４８ｅに沿って２次給紙ロール４５Ａ、４５Ｂ、４５Ｃに対応する位置までＸ１−Ｘ２方向にスライド移動する。
【００４４】
これにより、仕切り用紙４１Ａの用紙サイズが、Ａ３、Ｂ４、Ａ４のいずれのサイズであっても、用紙端変位機構４８は、適切に仕切り用紙４１Ａの端部を持ち上げた状態で、２次給紙ロール４５（４５Ａ、４５Ｂ、４５Ｃ）に上下方向（Ｚ１−Ｚ２方向）から押圧させることができる。そのため、いずれのサイズであっても仕切り用紙４１Ａの端部が折り曲げられる。
【００４５】
以上のように、用紙端変位機構４８は、２次給紙ロール４５の搬送路の上流側に設けられ、用紙４１の端部を下方から持ち上げる持ち上げ位置と、搬送路の搬送面より下方である退避位置との間で変位可能に設けられた押上部材４８ｂを有しており、制御部１０が、搬送路を搬送された用紙が仕分け用紙４１Ａである場合に、搬送されてきた仕分け用紙４１Ａの端部を持ち上げた状態で２次給紙ロール４５が仕分け用紙４１Ａを押圧するように、用紙端変位機構４８に押上部材４８ｂを持ち上げ位置に変位させる。
【００４６】
これにより、用紙４１が仕切り用紙４１Ａである場合、用紙端変位機構４８が押上部材４８ｂを持ち上げ位置に変位するので、仕切り用紙４１Ａの端部が上方（Ｚ１方向）に持ち上げられた状態で搬送され、２次給紙ロール４５に上下方向（Ｚ１−Ｚ２方向）から押圧されると、仕切り用紙４１Ａの端部が折り曲げられる。仕切り用紙４１Ａの端部のみが折り曲げられるので、仕切り用紙４１Ａの排紙台５４への排紙姿勢を安定させることができるので適切に排紙揃えを行うことができる。また、仕切り用紙４１Ａの端部のみが折り曲げられるので、ユーザは、排紙台５４に載置された用紙４１の中から端部が折り曲げられた仕切り用紙４１Ａを容易に見つけ出すことができる。これにより、適切に排紙揃えを行いつつ用紙を仕分けすることができる。
【００４７】
また、仕切り用紙４１Ａの端部のみが折り曲げられるので、仕切り用紙４１Ａの搬送方向（Ｙ１−Ｙ２方向）の長さは、用紙４１と変わらない。そのため、仕切り用紙４１Ａを搬送する際にも、ドラム３２とプレスロール３７とが直接接触することがないので、プレスロール３７を汚すことがない。
【００４８】
＜変形例１＞
なお、本実施形態では、搬送ガイド板５０に一辺が取り付けられた用紙端変位板４８ａと、この用紙端変位板４８ａを下方から持ち上げる用紙持ち上げ機構４８ｐとを備えた用紙端変位機構４８を例に挙げて説明したが、用紙端変位板４８ａが用紙持ち上げ機構４８ｐに固定されていてもよい。
【００４９】
図５は、用紙端変位機構４８の変形例１である用紙端変位機構４８Ａを示した図である。用紙端変位機構４８Ａは、用紙端変位部材４８Ａａと、用紙端変位部材４８Ａａを上方（Ｚ１方向）へ持ち上げる用紙持ち上げ機構４８Ａｐとで構成されている。
【００５０】
図５に示す用紙端変位部材４８Ａａは、三角すい形状を有しており、用紙端変位部材４８Ａａの下部は、用紙持ち上げ機構４８Ａｐの押上部材４８ｂの他方の端部に固定されている。
【００５１】
そして、搬送されてくる用紙４１が仕切り用紙４１Ａである場合、用紙持ち上げ機構４８Ａｐの押上部材４８ｂの他方の端部と共に、用紙端変位部材４８Ａａが上方（Ｚ１方向）に持ち上げられる。
【００５２】
これにより、搬送されてきた仕切り用紙４１Ａは、端部が上方（Ｚ１方向）に持ち上げられた状態で搬送され、２次給紙ロール４５に上下方向（Ｚ１−Ｚ２方向）から押圧されて端部が折り曲げられる。
【００５３】
＜変形例２＞
変形例１では、三角すい形状の用紙端変位部材４８Ａａが用紙持ち上げ機構４８ｐに固定された孔版印刷装置１を例に挙げて説明したが、これに限らず、用紙端変位部材は例えば、１／８球体の形状を有していてもよい。
【００５４】
図６は、２次給紙ロール４５と、用紙持ち上げ機構４８の変形例２の用紙端変位機構４８Ｂ周辺の平面図であり、図７は、変形例２である用紙持ち上げ機構４８Ｂを示した図である。用紙持ち上げ機構４８Ｂは、用紙端変位部材４８Ｂａと、用紙端変位部材４８Ｂａを上方（Ｚ１方向）へ持ち上げる用紙持ち上げ機構４８Ｂｐとで構成されている。
【００５５】
用紙端変位部材４８Ｂａは、１／８球体の形状を有しており、用紙端変位部材４８Ｂａの下部は、用紙持ち上げ機構４８Ｂｐの押上部材４８ｂの他方の端部に固定されている。
【００５６】
そして、搬送されてくる用紙４１が仕切り用紙４１Ａである場合、用紙持ち上げ機構４８Ｂｐの押上部材４８ｂの他方の端部と共に、用紙端変位部材４８Ｂａが上方（Ｚ１方向）に持ち上げられる。
【００５７】
これにより、搬送されてきた仕切り用紙４１Ａは、端部が上方（Ｚ１方向）に持ち上げられた状態で搬送され、２次給紙ロール４５に上下方向（Ｚ１−Ｚ２方向）から押圧されて端部が折り曲げられる。
【００５８】
＜変形例３＞
変形例２では、用紙端変位部材４８Ｂａは、Ｘ１−Ｘ２方向における２次給紙ロール４５Ａ、４５Ｂ、４５Ｃに対応する位置に設けられていたが、これに限らず、用紙サイズに応じてＸ１−Ｘ２方向の所定の位置に移動するようにしてもよい。
【００５９】
図８は、変形例３の２次給紙ロール４５Ｄと、用紙端変位機構４８周辺の平面図である。
【００６０】
図８に示すように、変形例３の２次給紙ロール４５Ｄは、搬送される用紙４１の全体を押圧できるようにＸ１−Ｘ２方向に隙間のない長尺のロール部材で構成されている。
【００６１】
そして、搬送ガイド板５０には、２次給紙ロール４５Ｄが上下方向から用紙４１を押圧できるように設けられた押圧穴５０ｂと、用紙持ち上げ機構４８が用紙サイズに応じてＸ１−Ｘ２方向のいずれに位置でも上下動できるように設けられた押上穴５０ａとを備えている。
【００６２】
押圧穴５０ｂは、２次給紙ロール４５ＤがＸ１−Ｘ２方向において用紙４１を押圧できるように、２次給紙ロール４５Ｄの長さ以上であるＬ１の長さで設けられている。
【００６３】
押上穴５０ａは、２次給紙ロール４５Ｄの搬送路の上流側（Ｙ２側）に押圧穴５０ｂと接続されて設けられている。ここで、仕切り用紙４１Ａの端部を折り曲げるのは、Ｘ１−Ｘ２方向においていずれか一方側のみでよい。そのため、ここでは、Ｘ１方向側の半分の長さであるＬ２分だけ押上穴５０ａが設けられている。
【００６４】
これにより、搬送された用紙４１が、押上穴５０ａに入り込むことを防止することができる。
【００６５】
用紙端変位機構４８は、上述したように、２本のガイド棒４８ｅに沿ってＸ１−Ｘ２方向にスライド移動可能に設けられている。
【００６６】
制御部１０は、搬送される仕分け用紙４１Ａの幅方向のサイズに応じて、幅方向における仕分け用紙４１Ａの端部の位置と一致するように用紙端変位機構４８をスライド移動させる。
【００６７】
これにより、搬送される仕分け用紙４１Ａの用紙サイズが、定型、非定型を問わずどのようなものであっても、ジョブに含まれる用紙サイズに基づいて、用紙端変位機構４８が搬送される仕分け用紙４１Ａの端部を持ち上げることができる位置に移動することができる。
【００６８】
なお、本実施形態では、２次給紙ロール４５により仕分け用紙４１Ａを押圧したが、これに限らず、押圧して搬送するローラ対であればいずれの箇所にも用紙端変位機構４８を設けることができる。
【００６９】
また、本実施形態では、白紙である用紙４１を仕分け用紙４１Ａとして用いたが、これに限らず、例えば、ジョブの最後の用紙４１を仕分け用紙４１Ａとしてもよい。具体的には、印刷物として最終ページの端部の折り曲げが支障ない場合には、この最終ページの用紙４１の端部を仕分け用紙４１Ａとして変移させつつ、仕分け用紙４１Ａに印刷させるようにしてもよい。
【００７０】
また、本実施形態では、仕分け装置が適用された孔版印刷装置１を例に挙げて説明したが、これに限らず、レーザ方式、又はインクジェット方式等の印刷装置であってもよい。すなわち、用紙を搬送し、搬送された用紙を束にして仕分けする装置であればどのような装置でも適用可能である。
【００７１】
（付記）
本出願は、以下の発明を開示する。
【００７２】
（付記１）
用紙を押圧しながら搬送路上で前記用紙を搬送する搬送ローラと、
前記搬送路に設けられ、前記用紙の端部を変位可能とする用紙端変位機構と、
前記搬送路を搬送される用紙を前記用紙端変位機構により前記用紙の端部を変位させた状態で前記搬送ローラを押圧させる制御手段と、
を備えたことを特徴とする仕分け装置。
【００７３】
これにより、用紙の端部が変位された状態で搬送ローラが押圧するので、用紙の端部が折り曲げられる。用紙の端部のみが折り曲げられるので、用紙の排紙台への排紙姿勢を安定させることができ適切に排紙揃えを行うことができる。また、用紙の端部のみが折り曲げられるので、ユーザは、排紙台に載置された用紙の中から端部が折り曲げられた用紙を容易に見つけ出すことができる。これにより、適切に排紙揃えを行いつつ用紙を仕分けすることができる。
【００７４】
（付記２）
前記用紙端変位機構は、前記用紙の端部を下方から持ち上げる持ち上げ位置と、前記搬送路の搬送面より下方である退避位置との間で移動可能に設けられた押圧部材を有し、
前記制御手段は、前記用紙を仕分け用紙として用いる場合に前記用紙が前記搬送路を搬送されて前記用紙端変位機構に達する前に前記用紙端変位機構に前記押圧厚部材を持ち上げ位置に変位させ、前記搬送ローラが前記用紙を押圧すると、前記用紙端変位機構に前記押上部材を退避位置に変位させる
ことを特徴とする付記１記載の仕分け装置。
【００７５】
これにより、用紙を仕切り用紙として用いる場合、仕切り用紙が用紙端変位機構に達する前に、仕切り用紙の端部が押圧部材により上方に持ち上げられた状態で搬送され、搬送ローラに押圧されることにより仕切り用紙の端部が折り曲げられる。そのため、適切なタイミングで仕切り用紙の端部のみが折り曲げられるので、仕切り用紙の排紙台への排紙姿勢を安定させることができ適切に排紙揃えを行うことができる。
【００７６】
（付記３）
前記用紙端変位機構は、前記用紙の搬送方向と直交する幅方向へスライド移動可能に設けられ、
前記制御手段は、前記搬送される用紙の幅方向のサイズに応じて、前記幅方向における前記用紙の端部の位置と一致するように前記用紙端変位機構をスライド移動させる
ことを特徴とする付記１又は付記２記載の仕分け装置。
【００７７】
これにより、搬送される用紙のサイズにかかわらず、用紙の端部を折り曲げることができる。
【符号の説明】
【００７８】
１  孔版印刷装置
２  製版部
３  印刷部
４  給紙部
５  排紙部
６  排版部
１０  制御部
３２  ドラム
３７  プレスロール
４１  用紙
４１Ａ  仕分け用紙
４２  給紙台
４６，４９  用紙センサ
４７  給紙クラッチ
４８，４８Ａ，４８Ｂ  用紙端変位機構
４８ａ  用紙端変位板
４８Ａａ，４８Ｂａ  用紙端変位部材
４８ｐ，４８Ａｐ，４８Ｂｐ  用紙持ち上げ機構
４８ｂ  押上部材
４８ｃ  バネ
４８ｄ  可動芯
４８ｅ  ガイド棒
４８ｆ  支持体
４８ｇ  ソレノイド
４８ｈ  固定ピン
５０  搬送ガイド板
５０ａ  押上穴
５０ｂ  押圧穴
５１  用紙分離爪
５２  排紙ロール
５４  排紙台
【図１】
2020104403.tif 000003
【図２】
2020104403.tif 000004
【図３】
2020104403.tif 000005
【図４】
2020104403.tif 000006
【図５】
2020104403.tif 000007
【図６】
2020104403.tif 000008
【図７】
2020104403.tif 000009
【図８】
2020104403.tif 000010